(57)【要約】【課題】自動利得制御増幅装置において故障が発生したか否かを適切に判定して、故障が発生したことを報知することができる故障判定システム、故障判定方法、および故障判定用プログラムを提供する。【解決手段】非同期判定部２０が、変調されて、所定の増幅率で増幅する固定増幅手段および増幅率を変更可能な可変増幅手段によって増幅された信号が、当該信号の搬送波に同期していない非同期状態で復調されたか否かの非同期判定を行う。増幅制御部１４が、復調後の信号に基づいて算出された電力値と、非同期判定部２０による非同期判定の結果とに応じて、固定増幅手段と可変増幅手段とを含む機器に故障が発生したことを示すアラーム信号を出力する。【選択図】      図３
2017092887.tif 000002
【特許請求の範囲】
【請求項１】
変調されて、所定の増幅率で増幅する固定増幅手段および増幅率を変更可能な可変増幅手段によって増幅された信号が、前記信号の搬送波に同期していない非同期状態で復調されたか否かの非同期判定を行う非同期判定手段と、
前記可変増幅手段による前記信号の増幅率を制御するための制御信号を前記可変増幅手段に入力する増幅制御手段とを備え、
前記増幅制御手段は、前記信号の復調後の信号に基づいて算出された電力値と、前記非同期判定手段による前記非同期判定の結果とに応じて、前記固定増幅手段と前記可変増幅手段とを含む機器に故障が発生したことを示すアラーム信号を出力する
ことを特徴とする故障判定システム。
【請求項２】
前記増幅制御手段は、
前記電力値が、所定の上限値よりも大きい値または所定の下限値よりも小さい値であり、かつ、
前記非同期判定手段が、前記非同期判定で、前記復調が前記非同期状態で行われたと判定していない場合に、前記アラーム信号を出力する
請求項１に記載の故障判定システム。
【請求項３】
前記増幅制御手段は、
前記復調後の信号に基づいて算出された電力値が、所定の上限値よりも大きい値または所定の下限値よりも小さい値であり、かつ、
前記非同期判定手段が、前記非同期判定で、前記復調が前非記同期状態で行われたと判定した場合に、前記機器の少なくとも一部をリセットするためのリセット信号を出力する
請求項１または請求項２に記載の故障判定システム。
【請求項４】
前記増幅制御手段は、
前記電力値が、所定の上限値よりも大きい値または所定の下限値よりも小さい値である状態が所定の時間以上継続している場合に、前記非同期判定に応じた処理を行う
請求項１から請求項３のうちいずれかに記載の故障判定システム。
【請求項５】
前記機器は、同期検波方式で信号を復調する復調手段を含む自動利得制御増幅装置である
請求項１から請求項４のうちいずれかに記載の故障判定システム。
【請求項６】
変調されて、所定の増幅率で増幅する固定増幅手段および増幅率を変更可能な可変増幅手段によって増幅された信号が、前記信号の搬送波に同期していない非同期状態で復調されたか否かの非同期判定を行う非同期判定ステップと、
前記可変増幅手段による前記信号の増幅率を制御するための制御信号を前記可変増幅手段に入力する増幅制御ステップとを含み、
前記増幅制御ステップで、前記信号の復調後の信号に基づいて算出された電力値と、前記非同期判定手段による前記非同期判定の結果とに応じて、前記固定増幅手段と前記可変増幅手段とを含む機器に故障が発生したことを示すアラーム信号を出力する
ことを特徴とする故障判定方法。
【請求項７】
コンピュータに、
変調されて、所定の増幅率で増幅する固定増幅手段および増幅率を変更可能な可変増幅手段によって増幅された信号が、前記信号の搬送波に同期していない非同期状態で復調されたか否かの非同期判定を行う非同期判定処理と、
前記可変増幅手段による前記信号の増幅率を制御するための制御信号を前記可変増幅手段に入力する増幅制御処理とを実行させ、
前記増幅制御処理で、前記信号の復調後の信号に基づいて算出された電力値と、前記非同期判定手段による前記非同期判定の結果とに応じて、前記固定増幅手段と前記可変増幅手段とを含む機器に故障が発生したことを示すアラーム信号を出力させる
ための故障判定用プログラム。
【発明の詳細な説明】
【技術分野】
【０００１】
本発明は、機器に故障が発生したことを報知可能な故障判定システム、故障判定方法、および故障判定用プログラムに関する。
【背景技術】
【０００２】
通信機等に、受信等した信号のレベルを自動的に調整するための自動利得制御を行う自動利得制御増幅装置が配置される場合がある。
【０００３】
特許文献１には、自動利得制御増幅装置の例が記載されている。特許文献１に記載されている自動利得制御増幅装置において、可変ゲインアンプを制御するために入力されている利得制御信号が何らかの原因で最大値または最小値に留まっているとする。すると、当該可変ゲインアンプは、本来あるべき、利得を減少させる、または利得を増大させる制御が行われずに、本来あるべき制御とは逆方向の制御が行われ、そして制御不能状態になる。
【０００４】
そこで、指定値監視回路が、ＬＰＦ（Ｌｏｗ  Ｐａｓｓ  Ｆｉｌｔｅｒ）の出力信号の値に基づいて、利得制御信号が最大値または最小値に留まっているか否かを判定する。そして、指定値監視回路は、利得制御信号３２５が最大値または最小値に留まっていると判定した場合に、ＡＧＣ（Ａｕｔｏｍａｔｉｃ  Ｇａｉｎ  Ｃｏｎｔｒｏｌ：自動利得制御）リセット信号をＬＰＦに入力して当該ＬＰＦをリセットさせ、自動利得制御増幅装置が受信信号を正しく復調するようにしている。
【０００５】
特許文献２には、受信信号の信号点配置に基づいて、搬送波の疑似引き込み状態であるか否かを判定する復調回路が記載されている。
【先行技術文献】
【特許文献】
【０００６】
【特許文献１】国際公開第２０１１／０８７１４９号
【特許文献２】特開２００３−２２９９２３号公報
【発明の概要】
【発明が解決しようとする課題】
【０００７】
特許文献１に記載されている自動利得制御増幅装置において、前段に配置された固定ゲインアンプが故障して信号が所望の増幅率で増幅されずに当該自動利得制御増幅装置に入力される場合がある。そのような場合に、固定ゲインアンプの機能を補償するために、可変ゲインアンプの利得を増大させる制御が行われる。そして、利得制御信号が最大値に留まり、ＡＧＣリセット信号がＬＰＦに入力されて、当該ＬＰＦをリセットする処理が行われる。
【０００８】
このことは、自動利得制御増幅装置が、リセット処理が行われることによって正常動作状態に復帰する誤動作状態であるのか、または故障が生じている状態であるのかの判定が適切になされないことを意味する。
【０００９】
なお、固定ゲインアンプに故障が生じていても、可変ゲインアンプによって固定ゲインアンプの機能が補償されていれば、受信信号が復調される。
【００１０】
そして、特許文献２に記載されている復調回路は、受信信号の信号点配置のみに基づいて、搬送波の疑似引き込み状態であるか否かを判定するので、受信信号が復調されていると、やはり、故障が生じているか否かを適切に判定することができないおそれがある。
【００１１】
そこで、本発明は、自動利得制御増幅装置において故障が発生したか否かを適切に判定して、故障が発生したことを報知することができる故障判定システム、故障判定方法、および故障判定用プログラムを提供することを目的とする。
【課題を解決するための手段】
【００１２】
本発明による故障判定システムは、変調されて、所定の増幅率で増幅する固定増幅手段および増幅率を変更可能な可変増幅手段によって増幅された信号が、信号の搬送波に同期していない非同期状態で復調されたか否かの非同期判定を行う非同期判定手段と、可変増幅手段による信号の増幅率を制御するための制御信号を可変増幅手段に入力する増幅制御手段とを備え、増幅制御手段は、当該信号の復調後の信号に基づいて算出された電力値と、非同期判定手段による非同期判定の結果とに応じて、固定増幅手段と可変増幅手段とを含む機器に故障が発生したことを示すアラーム信号を出力することを特徴とする。
【００１３】
本発明による故障判定方法は、変調されて、所定の増幅率で増幅する固定増幅手段および増幅率を変更可能な可変増幅手段によって増幅された信号が、信号の搬送波に同期していない非同期状態で復調されたか否かの非同期判定を行う非同期判定ステップと、可変増幅手段による信号の増幅率を制御するための制御信号を可変増幅手段に入力する増幅制御ステップとを含み、増幅制御ステップで、信号の復調後の信号に基づいて算出された電力値と、非同期判定手段による非同期判定の結果とに応じて、固定増幅手段と可変増幅手段とを含む機器に故障が発生したことを示すアラーム信号を出力することを特徴とする。
【００１４】
本発明による故障判定用プログラムは、コンピュータに、変調されて、所定の増幅率で増幅する固定増幅手段および増幅率を変更可能な可変増幅手段によって増幅された信号が、信号の搬送波に同期していない非同期状態で復調されたか否かの非同期判定を行う非同期判定処理と、可変増幅手段による信号の増幅率を制御するための制御信号を可変増幅手段に入力する増幅制御処理とを実行させ、増幅制御処理で、信号の復調後の信号に基づいて算出された電力値と、非同期判定手段による非同期判定の結果とに応じて、固定増幅手段と可変増幅手段とを含む機器に故障が発生したことを示すアラーム信号を出力させることを特徴とする。
【発明の効果】
【００１５】
本発明によれば、自動利得制御増幅装置において故障が発生したか否かを適切に判定し、故障が発生したことを報知することができる。
【図面の簡単な説明】
【００１６】
【図１】本発明の第１の実施形態の故障判定システムの構成例を示すブロック図である。
【図２】本発明の第１の実施形態の故障判定システムの動作を示すフローチャートである。
【図３】本発明の第２の実施形態の故障判定システムの構成例を示すブロック図である。
【発明を実施するための形態】
【００１７】
実施形態１．
本発明の第１の実施形態について、図面を参照して説明する。図１は、本発明の第１の実施形態の故障判定システムの構成例を示すブロック図である。図１に示すように、本発明の第１の実施形態の故障判定システムは、指定値監視回路３１４と、搬送波非同期判定回路２００とを含む。
【００１８】
図１に示すように、指定値監視回路３１４は、自動利得制御増幅装置３００に含まれているＡＧＣ回路３１０に含まれ、搬送波非同期判定回路２００と互いに接続されている。
【００１９】
図１に示すように、自動利得制御増幅装置３００は、固定ゲインアンプ３０１、可変ゲインアンプ３０２、直交復調部３０３、発振器３０４、Ｉｃｈ（Ｉｎ−ｐｈａｓｅ  Ｃｈａｎｎｅｌ）Ａ−Ｄ（Ａｎａｌｏｇ  ｔｏ  Ｄｉｇｉｔａｌ）コンバータ３０５、Ｑｃｈ（Ｑｕａｄｒａｔｕｒｅ  Ｃｈａｎｎｅｌ）Ａ−Ｄコンバータ３０６、およびＡＧＣ回路３１０を含む。
【００２０】
固定ゲインアンプ３０１には、入力信号１０１が入力される。なお、本例において、入力信号１０１は、ＱＰＳＫ（Ｑｕａｄｒａｔｕｒｅ  Ｐｈａｓｅ  Ｓｈｉｆｔ  Ｋｅｙｉｎｇ）や、ＱＡＭ（Ｑｕａｄｒａｔｕｒｅ  Ａｍｐｌｉｔｕｄｅ  Ｍｏｄｕｌａｔｉｏｎ）等の直交変調方式で変調されているとする。
【００２１】
固定ゲインアンプ３０１は、入力された入力信号１０１を所定の増幅率で増幅し、増幅後の入力信号１０２を可変ゲインアンプ３０２に入力する。
【００２２】
可変ゲインアンプ３０２は、ＡＧＣ回路３１０が入力した利得制御信号１１７に応じた増幅率で、入力された入力信号１０２を増幅し、増幅後の入力信号１０３を直交復調部３０３に入力する。具体的には、例えば、可変ゲインアンプ３０２は、利得制御信号１１７の値がより大きければより高い増幅率で入力信号１０２を増幅し、利得制御信号１１７の値がより小さければより低い増幅率で入力信号１０２を増幅する。なお、可変ゲインアンプ３０２は、利得制御信号１１７の値がより大きければより低い増幅率で入力信号１０２を増幅し、利得制御信号１１７の値がより小さければより高い増幅率で入力信号１０２を増幅するように構成されていてもよい。
【００２３】
発振器３０４は、所定の周波数の信号である基準周波数信号１０４を生成して直交復調部３０３に入力する。
【００２４】
直交復調部３０３は、発振器３０４が入力した基準周波数信号１０４に基づいて、可変ゲインアンプ３０２が入力した入力信号１０３をＩｃｈのアナログベースバンド信号１０５と、Ｑｃｈのアナログベースバンド信号１０６とに変換する。そして、直交復調部３０３は、変換後のＩｃｈのアナログベースバンド信号１０５をＩｃｈＡ−Ｄコンバータ３０５に入力する。また、直交復調部３０３は、変換後のＱｃｈのアナログベースバンド信号１０６をＱｃｈＡ−Ｄコンバータ３０６に入力する。
【００２５】
なお、本例における直交復調部３０３は、発振器３０４が入力した基準周波数信号１０４に基づいて、同期検波方式で可変ゲインアンプ３０２が入力した入力信号１０３を検波して復調するとする。
【００２６】
ＩｃｈＡ−Ｄコンバータ３０５は、後段でディジタル処理を可能なように、Ｉｃｈのアナログベースバンド信号１０５をＩｃｈのディジタルベースバンド信号１０７に変換する。同様に、ＱｃｈＡ−Ｄコンバータ３０６は、Ｑｃｈのアナログベースバンド信号１０６をＱｃｈのディジタルベースバンド信号１０８に変換する。なお、ＩｃｈＡ−Ｄコンバータ３０５およびＱｃｈＡ−Ｄコンバータ３０６には、可変ゲインアンプ３０２の増幅率の制御に必要とされる応答性等が考慮されて、適切なサンプリング周期（以降、「Ａ−Ｄサンプリング周期」という。）が設定される。
【００２７】
次に、ＡＧＣ回路３１０について説明する。本実施形態では、ＡＧＣ回路３１０は、可変ゲインアンプ３０２に利得制御信号１１７を入力して、当該可変ゲインアンプ３０２の増幅率を制御する。また、ＡＧＣ回路３１０は、搬送波非同期判定回路２００が入力した搬送波非同期信号１１３等に基づいて、自動利得制御増幅装置３００の少なくとも一部に故障が発生したことを示すアラーム信号１１８を出力して、故障の発生を報知する。なお、搬送波非同期信号１１３については後述する。
【００２８】
図１に示すように、ＡＧＣ回路３１０は、電力計算回路３１１、比較器３１２、ＬＰＦ３１３、および指定値監視回路３１４を含む。
【００２９】
電力計算回路３１１は、Ｉｃｈのディジタルベースバンド信号１０７およびＱｃｈのディジタルベースバンド信号１０８の電力値を算出する。具体的には、電力計算回路３１１は、例えば、Ｉｃｈのディジタルベースバンド信号１０７の電圧値とＱｃｈのディジタルベースバンド信号１０８の電圧値とをそれぞれ２乗した和を電力値として算出する。なお、電力計算回路３１１は、例えば、Ａ−Ｄサンプリング周期ごとに、電力値を算出する処理を行う。そして、電力計算回路３１１は、算出した電力値を示す電力値情報１０９をＬＰＦ３１３に入力する。
【００３０】
比較器３１２は、電力計算回路３１１が入力した電力値情報１０９が示す値と、外部から入力された、ＡＧＣ閾値情報１１０が示す値とを比較する。具体的には、比較器３１２は、例えば、電力値情報１０９が示す値がＡＧＣ閾値情報１１０が示す値よりも、小さければ「１」に応じたハイレベルの比較器出力信号１１１をＬＰＦ３１３に入力し、大きければ「０」に応じたローレベルの比較器出力信号１１１をＬＰＦ３１３に入力する。なお、比較器３１２は、例えば、電力値情報１０９が示す値がＡＧＣ閾値情報１１０が示す値よりも、小さければ「０」に応じたローレベルの比較器出力信号１１１をＬＰＦ３１３に入力し、大きければ「１」に応じたハイレベルの比較器出力信号１１１をＬＰＦ３１３に入力するように構成されていてもよい。また、比較器３１２は、例えば、電力値情報１０９が示す値とＡＧＣ閾値情報１１０が示す値とが互いに等しい場合には、「１」に応じたハイレベルの比較器出力信号１１１または「０」に応じたローレベルの比較器出力信号１１１をＬＰＦ３１３に入力するように予め構成されているとする。
【００３１】
ＬＰＦ３１３によって、Ａ−Ｄサンプリング周期ごとに比較器３１２によって入力される比較器出力信号１１１の高周波成分を除去するフィルタ処理が行われ、フィルタ処理後のＬＰＦ出力信号１１２が指定値監視回路３１４に入力される。例えば、時系列的に出力される比較器出力３２０の値において、「０」の割合が多い場合にはＬＰＦ出力信号１１２の値は小さくなって最小値に近づき、「１」の割合が多い場合にはＬＰＦ出力信号１１２の値は大きくなって最大値に近づく。
【００３２】
また、ＬＰＦ３１３は、指定値監視回路３１４が、後述するＡＧＣリセット信号１１６を入力した場合に、リセットされる。「ＬＰＦ３１３がリセットされる」とは、例えば、ＬＰＦ３１３を構成する各回路が所定の初期状態に再設定（リセット）されることである。そして、リセットされたＬＰＦ３１３によって、初期状態に基づいて、フィルタ処理が再開される。
【００３３】
指定値監視回路３１４は、ＬＰＦ出力信号１１２の値と、外部から入力された上限指定値情報１１４が示す値および下限指定値情報１１５が示す値との比較を行う。そして、ＬＰＦ出力信号１１２の値が、上限指定値情報１１４が示す値よりも大きい状態または下限指定値情報１１５が示す値よりも小さい状態が所定の異常判定時間以上継続した場合に、以下のような処理を行う。
【００３４】
すなわち、指定値監視回路３１４は、そのような場合に、搬送波非同期信号１１３が入力されているときに、ＡＧＣリセット信号１１６をＬＰＦ３１３に入力して、当該ＬＰＦ３１３をリセットする。また、指定値監視回路３１４は、そのような場合に、搬送波非同期信号１１３が入力されていないときに、アラーム信号１１８を出力する。
【００３５】
搬送波非同期判定回路２００は、Ｉｃｈのディジタルベースバンド信号１０７およびＱｃｈのディジタルベースバンド信号１０８に基づいて、搬送波が同期状態で復調されたのか、または非同期状態で復調されたのかを判定する。具体的には、例えば、直交復調部３０３が、可変ゲインアンプ３０２が入力した入力信号１０３における搬送波成分と、発振器３０４が入力した基準周波数信号１０４とが、互いに同期している同期状態で当該入力信号１０３を復調したのか、または非同期状態で復調したのかを判定する。なお、当該判定は、例えば、Ｉｃｈのディジタルベースバンド信号１０７およびＱｃｈのディジタルベースバンド信号１０８の信号点配置や振幅レベルの変動等に基づいて行われる。
【００３６】
そして、搬送波非同期判定回路２００は、直交復調部３０３が非同期状態で復調したと判定した場合に、搬送波非同期信号１１３を指定値監視回路３１４に入力する。
【００３７】
次に、本発明の第１の実施形態の故障判定システムの動作について説明する。図２は、本発明の第１の実施形態の故障判定システムの動作を示すフローチャートである。図２に示すように、本発明の第１の実施形態の故障判定システムにおいて、指定値監視回路３１４は、ＬＰＦ出力信号１１２の値と、外部から入力された上限指定値情報１１４が示す値および下限指定値情報１１５が示す値とを比較する（ステップＳ１０１）。
【００３８】
そして、指定値監視回路３１４は、ＬＰＦ出力信号１１２の値が、上限指定値情報１１４が示す値よりも大きい状態または下限指定値情報１１５が示す値よりも小さい状態である場合に（ステップＳ１０１のＹ）、所定の異常判定時間が経過するまで、そのような状態が継続しているか否かの判定を繰り返す（ステップＳ１０２，Ｓ１０３）。
【００３９】
指定値監視回路３１４は、ＬＰＦ出力信号１１２の値が、上限指定値情報１１４が示す値よりも大きい状態が所定の異常判定時間以上継続した場合または下限指定値情報１１５が示す値よりも小さい状態が所定の異常判定時間以上継続した場合に（ステップＳ１０２のＹ，Ｓ１０３のＹ）、搬送波非同期判定回路２００が、直交復調部３０３が非同期状態で復調したと判定したことによって搬送波非同期信号１１３が入力されているか否かを判断する（ステップＳ１０４）。
【００４０】
指定値監視回路３１４は、ステップＳ１０４の処理で搬送波非同期信号１１３が入力されていると判断した場合に（ステップＳ１０４のＹ）、ＬＰＦ３１３にＡＧＣリセット信号１１６を入力して（ステップＳ１０５）、当該ＬＰＦ３１３をリセットし、そうでない場合に（ステップＳ１０４のＮ）、アラーム信号１１８を出力する（ステップＳ１０６）。
【００４１】
つまり、ＬＰＦ出力信号１１２の値が、上限指定値情報１１４が示す値よりも大きい状態が所定の異常判定時間以上継続した場合または下限指定値情報１１５が示す値よりも小さい状態が所定の異常判定時間以上継続した場合であって、かつ、直交復調部３０３が同期状態で復調したときに、アラーム信号１１８が出力され、故障が発生したことが報知される。また、ＬＰＦ出力信号１１２の値が、上限指定値情報１１４が示す値よりも大きい状態が所定の異常判定時間以上継続した場合または下限指定値情報１１５が示す値よりも小さい状態が所定の異常判定時間以上継続した場合であって、直交復調部３０３が非同期状態で復調したときに、ＡＧＣリセット信号１１６がＬＰＦ３１３に入力されて、当該ＬＰＦ３１３がリセットされる。
【００４２】
本実施形態によれば、指定値監視回路３１４は、ＬＰＦ出力信号１１２の値と、外部から入力された上限指定値情報１１４が示す値および下限指定値情報１１５が示す値とを比較する。そして、指定値監視回路３１４は、ＬＰＦ出力信号１１２の値が、上限指定値情報１１４が示す値よりも大きい状態または下限指定値情報１１５が示す値よりも小さい状態が所定の異常判定時間以上継続した場合に、搬送波非同期判定回路２００が直交復調部３０３が非同期状態で復調したと判定したときに、アラーム信号を出力して故障が発生したことを報知し、搬送波非同期判定回路２００が直交復調部３０３が非同期状態で復調したと判定しなかったときに、ＬＰＦ３１３をリセットさせる。したがって、指定値監視回路３１４が、自動利得制御増幅装置において故障が発生したか否かを適切に判定し、当該判定結果に応じて、故障が発生したことを報知することができる。また、指定値監視回路３１４が、ＬＰＦ３１３をリセットしたりすることができる。
【００４３】
実施形態２．
次に、本発明の第２の実施形態について、図面を参照して説明する。図３は、本発明の第２の実施形態の故障判定システム１０の構成例を示すブロック図である。図３に示すように、本発明の第２の実施形態の故障判定システム１０は、非同期判定部２０と、増幅制御部１４とを含む。
【００４４】
非同期判定部２０は、例えば、図１に示す本発明の第１の実施形態における搬送波非同期判定回路２００に相当する。増幅制御部１４は、例えば、図１に示す本発明の第１の実施形態における指定値監視回路３１４に相当する。
【００４５】
非同期判定部２０は、変調されて、所定の増幅率で増幅する固定増幅手段および増幅率を変更可能な可変増幅手段によって増幅された信号が、当該信号の搬送波に同期していない非同期状態で復調されたか否かの非同期判定を行う。
【００４６】
なお、固定増幅手段は、例えば、図１に示す本発明の第１の実施形態における固定ゲインアンプ３０１に相当する。また、可変増幅手段は、例えば、図１に示す本発明の第１の実施形態における可変ゲインアンプ３０２に相当する。
【００４７】
増幅制御部１４は、可変増幅手段による信号の増幅率を制御するための制御信号を可変増幅手段に入力する。
【００４８】
そして、増幅制御部１４は、復調後の信号に基づいて算出された電力値と、非同期判定部２０による非同期判定の結果とに応じて、固定増幅手段と可変増幅手段とを含む機器に故障が発生したことを示すアラーム信号を出力する。
【００４９】
なお、機器は、例えば、図１に示す本発明の第１の実施形態における自動利得制御増幅装置３００に相当する。
【００５０】
本実施形態によれば、非同期判定部２０が、信号が非同期状態で復調されたか否かの非同期判定を行う。そして、増幅制御部１４が、復調後の信号に基づいて算出された電力値と、非同期判定の結果とに応じて、アラーム信号を出力する。
【００５１】
したがって、信号が復調されている場合であっても、機器において故障が発生したか否かを適切に判定して、故障が発生したことを報知することができる。
【符号の説明】
【００５２】
１０    故障判定システム
１４    増幅制御部
２０    非同期判定部
１０１、１０２、１０３    入力信号
１０４    基準周波数信号
１０５、１０６    アナログベースバンド信号
１０７、１０８    ディジタルベースバンド信号
１０９    電力値情報
１１０    ＡＧＣ閾値情報
１１１    比較器出力信号
１１２    ＬＰＦ出力信号
１１３    搬送波非同期信号
１１４    上限指定値情報
１１５    下限指定値情報
１１６    ＡＧＣリセット信号
１１７    利得制御信号
１１８    アラーム信号
２００    搬送波非同期判定回路
３００    自動利得制御増幅装置
３０１    固定ゲインアンプ
３０２    可変ゲインアンプ
３０３    直交復調部
３０４    発振器
３０５    ＩｃｈＡ−Ｄコンバータ
３０６    ＱｃｈＡ−Ｄコンバータ
３１０    ＡＧＣ回路
３１１    電力計算回路
３１２    比較器
３１３    ＬＰＦ
３１４    指定値監視回路
【図１】
2017092887.tif 000003
【図２】
2017092887.tif 000004
【図３】
2017092887.tif 000005